(57)【要約】      （修正有）【課題】五葉を有するしろクローバーを素材とする作品を製作する。【解決手段】しろクローバーは三葉である。三葉の特性を五葉の特性を有するしろクローバーにする為に品種改良をする。改良に改良を重ね五葉の特性を有するしろクローバーが完成、しろクローバー五幸として品種登録されることにより五葉の特性を有する素材確保は解決し、これを素材として作品を製作する。【選択図】図５
2009090625.tif 000002
【特許請求の範囲】
【請求項１】
品種登録番号５４４０号
農林水産植物の種類  しろクローバー
登録品種の名称  五幸（図１）
しろクローバー五幸は、五葉の特性を有するしろクローバーである。
五葉という特性を有するしろクローバー五幸を素材として用いて、その特性を活かした作品を製作する。
【発明の詳細な説明】
【技術分野】
【０００１】  しろクローバー五幸の完成により、従来は稀少であった五葉の特性を有するしろクローバーの大量生産を可能とし、これを素材として用いることで装飾品・カード・観賞用など大量需要にも対応できるようになったため、今までは不可能とされていたような新分野の開拓を可能にする。
【背景の技術】
【０００２】  しろクローバーは元来三葉である。  しろクローバーの四葉・五葉は突然変異によってできるものであり、四葉のクローバーは容易ではないにしろ探せば発見できる。
しかし、突然変異による五葉のしろクローバーの発生となると数も極端に少なく、幻のクローバーと呼ばれている程入手することは至極困難である。
尚、本件とは無関係であるが、四葉のしろクローバーを用いた物品がインターネット上で販売されているようだが、数に余裕もなく納品状況も不確実で確約できないといった様子である。
将来品種改良により四葉の特性を有するしろクローバーが安定発生するようになり、新品種特許または品種登録されることになれば一品種として認知され、その特性により市場により多くの可能性をもたらすものと考えている。
【発明の開示】
【発明が解決しようとしてる課題】
【０００３】  本来は突然変異によってのみ発生していた五葉の特性を有するしろクローバーの大量生産を可能にし安定供給できるようにすることで、本件の素材を確保することである。
【課題を解決するための手段】
【０００４】  しろクローバーは三葉である。しろクローバーの三葉を五葉に改良する為に改良に改良を重ねてしろクローバーの三葉が五葉に改良され、五葉の出葉が安定し継続することが確認されるまで永年の月日を費やすことで改良の成功をみた。
五葉の特性を有するしろクローバーは、厳しい品種登録審査をうけ世界唯一のしろクローバー五幸として品種登録される。
しろクローバー五幸の誕生により世界唯一の特性を持つ本件の素材の確保は解決し大量生産も可能となる。
【発明の効果】
【０００５】  従来、しろクローバーの用途といえば牧草として利用されてきた。また、荷造りの際に詰め物としても利用されることから、シロツメクサと呼ばれている。
近年はビルの屋上や公園の緑化に利用されている。
五葉のしろクローバー五幸により、素材として他に類を見ない五葉という特性を活かし、装飾品・カード・栞等で使用することで全く新しい用途の開発が可能となる。
【発明を実施するための最良の形態】
【０００６】  しろクローバー五幸の特性は世界唯一のものであり、その特性を最大限に活用することが最良の形態と考える。
カード（図３）栞（図４）ペンダントヘッド（図５）等、既製またはオリジナルの商品・作品・物品などに、五葉という特性を持つしろクローバー五幸を添付するなどの手段を駆使することが五幸の特性を活用し活かされた用い方である。
五幸の特性を活かした用い方を実行すれば、お互いの価値を高め合う相乗効果は期待できても、その逆の可能性は皆無である。
しろクローバー五幸の特性を活かした使用により、世界唯一の物品を製作できるのである。
【実施例】
【０００７】  五葉の特性を有するしろクローバー五幸（図１）より採取した五葉（１）を押し葉（図２）に加工する。  利用方法は特定せず利用者独自の発想や工夫に委ねる。【０００８】  五葉の特性を有するしろクローバー五幸（図１）より採取した五葉（１）を押し葉（図２）に加工した葉（２）をカード（３）に添付し（図３）バースデーカード・クリスマスカード・メッセージカード等に、又、栞（図４）等他にも招待状・宴会会合での席名札・贈答進物に添えるカード等に使用。カードの形状やデザイン・材質などは用途に応じて考慮する。【０００９】  五葉の特性を有するしろクローバー五幸（図１）より採取した五葉（１）を押し葉（図２）に加工した葉（２）を利用してペンダントヘッド（図５）を製作する。
このペンダントヘッドを利用してペンダント（図６）、応用することでネックレス・ピアス・帯留め・髪飾りなどの装飾品、または携帯ストラップ・根付などその用途は限り無く広がる。
製作にあたって用途別よるデザイン留意し多様に対応するとともに材料を選択することでペンダントヘッドに付加価値を与え、広い層の需要を開拓することができる。【００１０】  しろクローバー五幸より採取した五葉（１）を水を入れた器（７）に差し入れておくと（図７）冬期で約ニ週間、夏期で約一週間程度は採取した当初の品質を維持できる。故に切り花と同様に需要者に提供できる。
【産業上の利用可能性】
【００１１】  我が国には古より培われた文化として、奇数を重宝とする生活習慣がある。
七五三の祝い・結婚式の三三九度・一本締め・三本締め・万歳三唱等々奇数を吉数とする文化をもつ国に於いて、五葉という特性を有するしろクローバー五幸を受け入れる環境は既に整っている。
多くの人々の四葉のクローバーへの関心は周知の通りである。
しかし、五葉のしろクローバーを見たことも聞いたこともないが故に関心もないという知人にしろクローバー五幸を見せると、驚きとともに眼の輝きが増し質問攻めに合わされるという変貌ぶりで最後には譲って欲しいと切望される。このことから、見せること知らすことにより、多くの方々より関心と需要が得られることが期待できる。
しろクローバー五幸は世界唯一の品種であり、これを素材としてその特性を活かして二つと同じ固体のない葉から産まれる物品も世界唯一と言える。
産業として生活習慣や文化に根ざし、高い関心を期待できるこの素材を大量生産できるということは、物品の開発・新分野の創造など、産業上の利用可能性は大きい。
【図面の簡単な説明】
【００１２】
【図１】  しろクローバー五幸のホフク茎の図
【図２】  しろクローバー五幸より採取した葉（１）を押し葉（２）に加工した図
【図３】  カード（３）にしろクローバー五幸の押し葉（２）を添付した図
【図４】  栞（４）にしろクローバー五幸の押し葉（２）を添付した図
【図５】  しろクローバー五幸の押し葉（２）を用いて製作したペンダントヘッド（５）製作例
【図６】  （５）を応用したペンダントの例
【図７】  容器に水を入れしろクローバー五幸の五葉（１）を差し入れた図
【符号の説明】
【００１３】  １  しろクローバー五幸の五葉
２  しろクローバー五幸の五葉の押し葉
３  カード
４  栞
５  ペンダントヘッド
６  ペンダント
７  水を入れる容器
【図１】
2009090625.tif 000003
【図２】
2009090625.tif 000004
【図３】
2009090625.tif 000005
【図４】
2009090625.tif 000006
【図５】
2009090625.tif 000007
【図６】
2009090625.tif 000008
【図７】
2009090625.tif 000009